(57)【特許請求の範囲】
【請求項１】
ＡＦＴ判定回路（１１）によりＡＦＴ信号の電圧値を判定してチューニングアップダウンカウンタ（１４）を制御しチューニング電圧（ＢＴ）を発生する電圧シンセサイザ方式のチューニング方法において、
アップダウンカウント可能な限界値判定カウンタ（２１）を設け、
上記ＡＦＴ信号の基準値（Ｖ２）より一定値だけ高い電圧値（Ｖ１）を判定した時点（Ａ点）からチューニング動作を開始し、上記チューニングアップダウンカウンタ（１４）のアップカウントを開始し、
上記ＡＦＴ信号の電圧値が基準値（Ｖ２）より一定値だけ低い電圧（Ｖ３）を判定した時点（Ｂ点）で上記チューニングアップダウンカウンタ（１４）のダウンカウントを開始し、
上記ＡＦＴ信号の基準値（Ｖ２）より一定値だけ高い電圧値（Ｖ１）を再び判定した時点（Ｃ点）で上記チューニングアップダウンカウンタ（１４）のアップカウントを開始し、
その後上記ＡＦＴ信号の電圧値が基準値（Ｖ２）を判定した時点（Ｄ点）で上記チューニングアップダウンカウンタ（１４）のカウントを停止しチューニング動作を収束させるとともに、
上記（Ａ点）にて上記限界値判定カウンタ（２１）に所定のオフセット値をプリセットし、
上記（Ｂ点）にて上記限界値判定カウンタ（２１）のアップカウントを開始し、そのカウント値が所定の限界カウント値を超えると同調点（Ｄ点）がないものと判定する
ことを特徴とするチューニング方法。
【請求項２】
ＡＦＴ判定回路（１１）によりＡＦＴ信号の電圧値を判定してチューニングアップダウンカウンタ（１４）を制御しチューニング電圧（ＢＴ）を発生する電圧シンセサイザ方式のチューニング方法において、
アップダウンカウント可能な限界値判定カウンタ（２１）を設け、
上記ＡＦＴ信号の基準値（Ｖ２）より一定値だけ高い電圧値（Ｖ１）を判定した時点（Ａ点）からチューニング動作を開始し、上記チューニングアップダウンカウンタ（１４）のアップカウントを開始し、
上記ＡＦＴ信号の電圧値が基準値（Ｖ２）より一定値だけ低い電圧（Ｖ３）を判定した時点（Ｂ点）で上記チューニングアップダウンカウンタ（１４）のダウンカウントを開始し、
上記ＡＦＴ信号の基準値（Ｖ２）より一定値だけ高い電圧値（Ｖ１）を再び判定した時点（Ｃ点）で上記チューニングアップダウンカウンタ（１４）のアップカウントを開始し、
その後上記ＡＦＴ信号の電圧値が基準値（Ｖ２）を判定した時点（Ｄ点）で上記チューニングアップダウンカウンタ（１４）のカウントを停止しチューニング動作を収束させるとともに、
上記（Ａ点）にて上記限界値判定カウンタ（２１）に所定のオフセット値をプリセットし、
上記上記ＡＦＴ信号の基準値（Ｖ２）より一定値だけ高い電圧値（Ｖ１）を再び判定した時点にて上記限界値判定カウンタ（２１）のアップカウントを開始し、
その後上記（Ｂ点）にて上記限界値判定カウンタ（２１）のダウンカウントを開始し、そのカウント値が「０」となった時点で同調点（Ｄ点）がないものと判定する
ことを特徴とするチューニング方法。
【発明の詳細な説明】
【０００１】
【発明の属する技術分野】
本発明は、テレビ受像機やラジオ受信機等で使用されるチューナに適用されるチューニング方法に関する。
【０００２】
【従来の技術】
従来、テレビ受信機に使用される電圧シンセサイザ方式の自動チューニング回路は図９に示すような構成となっている。同図において、同調点近傍で電圧値がＳ字状に変化するＡＦＴ信号はＡＦＴ判定回路１１に入力される。このＡＦＴ判定回路１１は、ＡＦＴ信号の電圧値が基準値から一定値以上外れた場合にこれを判定してチューニングプログラム制御回路１２に判定信号を送出する。
【０００３】
このチューニングプログラム制御回路１２にはまた、複合同期信号ＣＳＹＮＣから水平同期信号を検出する同期検出回路１３からの検出信号が入力される。チューニングプログラム制御回路１２は、これらの入力により局判定を行ないながら、受信チャンネルに対応したカウント値となるようにチューニングアップダウンカウンタ１４を適宜アップカウント／ダウンカウントするように制御する。
【０００４】
そして、このチューニングアップダウンカウンタ１４のカウント値に応じたパルス幅変調（ＰＷＭ）信号が、Ｄ／Ａ変換器１５でアナログ化されることでチューニング電圧ＢＴとされ、図示しないチューナ回路に送出されて、対応する周波数の局に掃引されるようになるものである。
【０００５】
図１０は上記ＡＦＴ信号のチューニングアップ時の電圧変化を示すものである。上記ＡＦＴ判定回路１１は、ＡＦＴ信号の電圧が基準電圧値Ｖ２から一定値だけ高い電圧値Ｖ１あるいは基準電圧値Ｖ２から一定値だけ低い電圧値Ｖ３となった場合にこれを検出、判定してそれぞれその判定信号をチューニングプログラム制御回路１２に送出する。
【０００６】
チューニングプログラム制御回路１２では、順次チューニングアップダウンカウンタ１４をアップカウントさせる過程において、ＡＦＴ判定回路１１から当初電圧値Ｖ１の判定信号の入力で検出点Ａを得ることにより同調点のある可能性を認識し、続いて電圧値Ｖ３の判定信号の入力で検出点Ｂを得ることにより同調点があることを認識して、チューニングアップダウンカウンタ１４を一転、ダウンカウントさせる。
【０００７】
その後、電圧値Ｖ１の判定信号の入力で検出点Ｃを得てチューニングアップダウンカウンタ１４を再度アップカウントさせ、同期検出回路１３からの水平同期信号の検出を確認した上で検出点Ｃと検出点Ｂの中間点である電圧値Ｖ２の検出点Ｄに最終的に収束させてこれを同調点として、受信局に同調したものと判断するものである。
【０００８】
【発明が解決しようとする課題】
しかしながら、上述したＡＦＴ信号は、同じチューニング電圧ＢＴの変化に対してＶＨＦ帯、ＵＨＦ帯等の周波数帯域の違い、あるいはＶＨＦ帯内でもローバンドとハイバンドのように各周波数帯域内での位置の違い、あるいは特異な波形の映像信号等によってもそのＳ字状の電圧変化特性が変化する。
【０００９】
図１１は、チューニング電圧ＢＴの変化に対するＶＨＦ帯とＵＨＦ帯のＡＦＴ信号の電圧変化特性を例示するもので、ＶＨＦ帯における検出点Ｂ，Ｃ間の周波数の幅Ｗ１と、ＵＨＦ帯における検出点Ｂ，Ｃ間の周波数の幅Ｗ２は、２００［ｋＨｚ］〜５００［ｋＨｚ］もの違いを有している。
【００１０】
上述したＡＦＴ信号はノイズ等の影響を受けやすく、放送による同調点がない場合でも不規則に変化する。そのため、上記検出点Ａ，Ｂが得られた場合でも、必ずしも検出点Ｃを得ることができるとは限らず、そのような場合にはチューニングアップダウンカウンタ１４のダウンカウント（チューニングアップの場合）する幅がある限界値を越えた時点で検出点Ｃの取得を中止して、再び次の検出点Ａを得る動作に戻るようにしなければならない。
【００１１】
しかるに、上記周波数帯域等により異なる検出点Ｂ，Ｃ間の周波数の幅（２００［ｋＨｚ］〜５００［ｋＨｚ］）を考慮すると、上記限界値はその最大値である５００［ｋＨｚ］を一律に設定せざるを得ない。
【００１２】
したがって、放送を行なっている局を選局するためには、上記検出点Ａ〜Ｃの判定を数多く繰返さなくてはならず、結果として選局の速度を上げることができないという不具合があった。
【００１３】
本発明は上記のような実情に鑑みてなされたもので、その目的とするところは、同調点の有無の判定に要する時間を極力短縮し、選局動作を高速化することが可能なチューニング方法を提供することにある。
【００１４】
【課題を解決するための手段】
請求項１記載の発明は、ＡＦＴ判定回路（１１）によりＡＦＴ信号の電圧値を判定してチューニングアップダウンカウンタ（１４）を制御しチューニング電圧（ＢＴ）を発生する電圧シンセサイザ方式のチューニング方法において、アップダウンカウント可能な限界値判定カウンタ（２１）を設け、上記ＡＦＴ信号の基準値（Ｖ２）より一定値だけ高い電圧値（Ｖ１）を判定した時点（Ａ点）からチューニング動作を開始し、上記チューニングアップダウンカウンタ（１４）のアップカウントを開始し、上記ＡＦＴ信号の電圧値が基準値（Ｖ２）より一定値だけ低い電圧（Ｖ３）を判定した時点（Ｂ点）で上記チューニングアップダウンカウンタ（１４）のダウンカウントを開始し、上記ＡＦＴ信号の基準値（Ｖ２）より一定値だけ高い電圧値（Ｖ１）を再び判定した時点（Ｃ点）で上記チューニングアップダウンカウンタ（１４）のアップカウントを開始し、その後上記ＡＦＴ信号の電圧値が基準値（Ｖ２）を判定した時点（Ｄ点）で上記チューニングアップダウンカウンタ（１４）のカウントを停止しチューニング動作を収束させるとともに、上記（Ａ点）にて上記限界値判定カウンタ（２１）に所定のオフセット値をプリセットし、上記（Ｂ点）にて上記限界値判定カウンタ（２１）のアップカウントを開始し、そのカウント値が所定の限界カウント値を超えると同調点（Ｄ点）がないものと判定することを特徴とするチューニング方法を提供するものである。
【００１６】
請求項２記載の発明は、ＡＦＴ判定回路（１１）によりＡＦＴ信号の電圧値を判定してチューニングアップダウンカウンタ（１４）を制御しチューニング電圧（ＢＴ）を発生する電圧シンセサイザ方式のチューニング方法において、アップダウンカウント可能な限界値判定カウンタ（２１）を設け、上記ＡＦＴ信号の基準値（Ｖ２）より一定値だけ高い電圧値（Ｖ１）を判定した時点（Ａ点）からチューニング動作を開始し、上記チューニングアップダウンカウンタ（１４）のアップカウントを開始し、上記ＡＦＴ信号の電圧値が基準値（Ｖ２）より一定値だけ低い電圧（Ｖ３）を判定した時点（Ｂ点）で上記チューニングアップダウンカウンタ（１４）のダウンカウントを開始し、上記ＡＦＴ信号の基準値（Ｖ２）より一定値だけ高い電圧値（Ｖ１）を再び判定した時点（Ｃ点）で上記チューニングアップダウンカウンタ（１４）のアップカウントを開始し、その後上記ＡＦＴ信号の電圧値が基準値（Ｖ２）を判定した時点（Ｄ点）で上記チューニングアップダウンカウンタ（１４）のカウントを停止しチューニング動作を収束させるとともに、上記（Ａ点）にて上記限界値判定カウンタ（２１）に所定のオフセット値をプリセットし、上記上記ＡＦＴ信号の基準値（Ｖ２）より一定値だけ高い電圧値（Ｖ１）を再び判定した時点にて上記限界値判定カウンタ（２１）のアップカウントを開始し、その後上記（Ｂ点）にて上記限界値判定カウンタ（２１）のダウンカウントを開始し、そのカウント値が「０」となった時点で同調点（Ｄ点）がないものと判定することを特徴とするチューニング方法を提供するものである。
【００２０】
【発明の実施の形態】
（第１の実施の形態）
以下本発明をテレビ受像機のチューニング回路に適用した場合の第１の実施の形態について図面を参照して説明する。
【００２１】
図１はその回路構成を示すもので、基本的には上記図９に示したものと同様であるので、同一部分には同一符号を付してその説明は省略する。
【００２２】
しかして、ＡＦＴ判定回路１１の出力する判定信号はまた、限界値判定用カウンタ２１にも送られる。この限界値判定用カウンタ２１は、チューニングプログラム制御回路１２′の制御の下にＡＦＴ判定回路１１からの判定信号に応じてオフセット値のプリセットとアップ／ダウンカウントを行なうことで、上記ＡＦＴ信号の電圧変化が同調によるものであるか否かを判定するためのもので、そのカウント値はチューニングプログラム制御回路１２′に読出される。
【００２３】
次に上記実施の形態の動作について説明する。
【００２４】
図２はノイズ等の外乱の有無に応じたＡＦＴ信号の波形を種々例示するものであり、図２（Ａ）は、特に外乱を生じていない正常な場合の同調点近傍の波形である。上記図１１でも示したように、検出点Ｂ，Ｃ間の周波数の幅は周波数帯域や映像信号等によって２００［ｋＨｚ］〜５００［ｋＨｚ］と異なるものであり、図中の検出点Ｄが目的の受信局の同調点となる。
【００２５】
図２（Ｂ）は、受信局以外での外乱によりＡＦＴ信号が変化し、検出点Ｂ，Ｃ間の周波数の幅が５００［ｋＨｚ］を越えた場合の波形を例示するもので、当然ながら検出点Ｂ，Ｃ間の中間位置で電圧Ｖ２の検出点Ｄが得られるとは限らず、また偶然検出点Ｄが得られる場合でも同期検出回路１３から水平同期信号の検出による信号が入力されることはないので、受信局に同調したとは判断されない。
【００２６】
図２（Ｃ）は、上記図２（Ｂ）と同じく受信局以外での外乱によりＡＦＴ信号が変化し、検出点Ｂ，Ｃ間の周波数の幅が２００［ｋＨｚ］未満となった場合の波形を例示するものである。この場合も、当然ながら検出点Ｂ，Ｃ間の中間位置で電圧Ｖ２の検出点Ｄが得られるとは限らず、また偶然検出点Ｄが得られる場合でも同期検出回路１３から水平同期信号の検出による信号が入力されることはないので、受信局に同調したとは判断されない。
【００２７】
図２（Ｄ）は、アップチューニング時に目的局の前に外乱を生じ、本来の検出点Ａの前に検出点Ａ′を得るような場合のＡＦＴ信号の波形を例示するものである。
【００２８】
図２（Ｅ）はダウンチューニング時に目的局の前に外乱を生じ、本来の検出点Ｂ′の前に検出点Ｂ″を得るような場合のＡＦＴ信号の波形を例示するものである。
【００２９】
しかして、上記図２（Ａ）に示したような特に外乱を生じていない正常なＡＦＴ信号がＡＦＴ判定回路１１に入力された場合、アップチューニング時であれば、上記図９で示した従来のチューニング回路では、上述した如くチューニング電圧ＢＴを変化させ、図３（１）に示すＡＦＴ信号の検出点Ａ→Ｂ→Ｃ→Ｄの順で同調処理を行なうこととなる。
【００３０】
すなわち、図３（２）に示す電圧値Ｖ１以上を表わすＡＦＴ−Ｈｉｇｈ信号の立上がりにより検出点Ａを認識し、続いて図３（３）に示す電圧値Ｖ３以下を表わすＡＦＴ−Ｌｏｗ信号の検出により検出点Ｂを認識した時点でそれまでのアップチューニングを一時的に停止してダウンチューニングに反転させる。
【００３１】
そして、再度のＡＦＴ−Ｈｉｇｈ信号の立上がりにより検出点Ｃを得た時点で一旦ダウンチューニングを停止させ、同期検出回路１３からの水平同期信号の検出を確認する。ここで水平同期信号の検出を確認すると、再度アップチューニングを再開し、最終的に図３（４）に示すＡＦＴ−Ｍｉｄ信号を受けて基準電圧値Ｖ２の検出点Ｄを同調点として得るものである。
【００３２】
この間、限界値判定用カウンタ２１では、従来の処理手順に従って動作する場合を考えると、図３（５）に示すように上記検出点Ａの時点でリセットされた後、検出点Ｂの時点でアップカウントを開始し、検出点Ｃの判定がなされた時点でカウント動作を停止するもので、例えばこのＡＦＴ信号の変化がノイズ等の影響によるもので同調点Ｄがなく、したがって検出点Ｃの判定がなされない場合には、そのカウント値が５００［ｋＨｚ］に相当する値となった時点で限界カウント値となり、チューニングプログラム制御回路１２′により同調点Ｄがないものと判定されるようになる。
【００３３】
しかしながら、本願発明において限界値判定用カウンタ２１は実際には、図３（６）に示す如く上記検出点Ａの時点で若干プラスのオフセット値がプリセットされた後、ＡＦＴ−Ｈｉｇｈ信号の立下がりによる第１回目の検出点Ｃの時点でチューニングプログラム制御回路１２′の制御によりアップカウントを開始する。そして、検出点Ｂの時点でカウント方向を反転してダウンカウントを開始し、第２回目の検出点Ｃの判定がなされた時点で同調点Ｄがあるものとしてカウント動作を停止するものである。
【００３４】
以後、チューニングプログラム制御回路１２′が従来と同様に同期検出回路１３からの水平同期信号の検出を確認する。ここで水平同期信号の検出信号を受けるとチューニングプログラム制御回路１２′は、再度チューニングアップダウンカウンタ１４をアップカウントさせてアップチューニングを再開し、最終的に図３（４）に示すＡＦＴ−Ｍｉｄ信号を受けて基準電圧値Ｖ２の検出点Ｄを同調点として得るものである。
【００３５】
この場合、上記検出点Ａの時点で限界値判定用カウンタ２１にプリセットされるオフセット値は、チューニング電圧ＢＴとＡＦＴ信号の出力誤差を吸収するために予めチューニングプログラム制御回路１２′により設定されるものであり、例えば検出点Ａ及び第１回目の検出点Ｃの判定がノイズ等の影響によるもので同調点Ｄがなく、したがって第２回目の検出点Ｃの判定がなされない場合には、限界値判定用カウンタ２１のカウント値が「０」となった時点でチューニングプログラム制御回路１２′が直ちに同調点がないものと判定するようになる。
【００３６】
したがって、本来同調点Ｄがあるものとしてカウント動作を停止すべき第２回目の検出点Ｃの時点から、同調点Ｄがないと判定する時点までに要する時間は、上記オフセット値に応じたカウント動作を行なうだけの時間であり、図３（５）と図３（６）とを比較しても判るように、本願発明では同調点Ｄがないと判定するまでに要する時間を大幅に短縮することができる。
【００３７】
また、上記図２（Ｂ）に示した、受信局以外で外乱を生じ、検出点Ｂ，Ｃ間の周波数の幅が５００［ｋＨｚ］を越えているようなＡＦＴ信号がＡＦＴ判定回路１１に入力された場合、アップチューニング時であれば、上記図９で示した従来のチューニング回路では、上述した如くチューニング電圧ＢＴを変化させて図４（１）に示すＡＦＴ信号の検出点Ａ→Ｂの順で同調処理を行なうこととなる。
【００３８】
すなわち、図４（２）に示す電圧値Ｖ１以上を表わすＡＦＴ−Ｈｉｇｈ信号の立上がりにより検出点Ａを認識し、続いて図４（３）に示す電圧値Ｖ３以下を表わすＡＦＴ−Ｌｏｗ信号の検出により検出点Ｂを認識した時点でそれまでのアップチューニングを一時的に停止してダウンチューニングに反転させる。
【００３９】
そして、再度のＡＦＴ−Ｈｉｇｈ信号の立上がりによる検出点Ｃが得られないままにダウンチューニングを続行する。
【００４０】
この間、限界値判定用カウンタ２１では、従来の処理手順に従って動作する場合を考えると、図４（４）に示すように上記検出点Ａの時点でリセットされた後、検出点Ｂの時点でアップカウントを開始し、検出点Ｃの判定がなされないままに、そのカウント値が５００［ｋＨｚ］に相当する限界カウント値となり、チューニングプログラム制御回路１２′がこれにより同調点がないものと判定して、次の局を同調すべくチューニングアップダウンカウンタ１４によるアップチューニングを再開させるようになるものである。
【００４１】
しかしながら、本願発明において限界値判定用カウンタ２１は実際には、上記図４（２）と同様の図４（５）に示すＡＦＴ−Ｈｉｇｈ信号の立上がりにより検出点Ａを認識した時点で、図４（６）に示すように若干プラスのオフセット値がプリセットされた後、ＡＦＴ−Ｈｉｇｈ信号の立下がりによる第１回目の検出点Ｃの時点でチューニングプログラム制御回路１２′の制御によりアップカウントを開始する。
【００４２】
その後、検出点Ｂが得られる前にこの限界値判定用カウンタ２１のカウント値が５００［ｋＨｚ］に相当する限界カウント値となった時点で、そのカウント値によりチューニングプログラム制御回路１２′が同調点がないものと判定するようになる。
【００４３】
したがって、図４（４）と図４（６）とを比較しても判るように、本願発明では同調点Ｄがないと判定するまでに要する時間を大幅に短縮することができる。
【００４４】
さらに、上記図２（Ｃ）に示した、受信局以外で外乱を生じ、検出点Ｂ，Ｃ間の周波数の幅が２００［ｋＨｚ］未満となるようなＡＦＴ信号がアップチューニング時にＡＦＴ判定回路１１に入力された場合、上記図９で示した従来のチューニング回路では、上述した如くチューニング電圧ＢＴを変化させて図５（１）に示すＡＦＴ信号を変化させて検出点Ａ→Ｃ→Ｂ→Ｃの順で同調処理を行ない、その後に水平同期信号の検出が得られないことで同調点Ｄがないものと判定することとなる。
【００４５】
すなわち、図５（２）に示す電圧値Ｖ１以上を表わすＡＦＴ−Ｈｉｇｈ信号の立上がりにより検出点Ａを認識し、続いて図５（３）に示す電圧値Ｖ３以下を表わすＡＦＴ−Ｌｏｗ信号の検出により検出点Ｂを認識した時点でそれまでのアップチューニングを一時的に停止してダウンチューニングに反転させる。
【００４６】
そして、再度のＡＦＴ−Ｈｉｇｈ信号の立上がりにより検出点Ｃを得た時点で一旦ダウンチューニングを停止させ、同期検出回路１３からの水平同期信号の検出を確認する。
【００４７】
ここで同期検出回路１３からの水平同期信号の検出が得られないままに一定時間が経過すると、チューニングプログラム制御回路１２′が同調点Ｄがないものと判定して、次の局に同調すべくアップチューニングを再開させるようになる。
【００４８】
この間、限界値判定用カウンタ２１では、従来の処理手順に従って動作する場合を考えると、図５（４）に示すように上記検出点Ａの時点でリセットされた後、検出点Ｂの時点でアップカウントを開始し、検出点Ｃの判定がなされた時点でカウント動作を停止するものであり、上述したようにＡＦＴ信号の変化が外乱によるものであって水平同期信号の検出が得られない場合には、一定時間の経過によりチューニングプログラム制御回路１２′が同調点Ｄがないものと判定して、次の局に同調すべくアップチューニングを再開させるため、次のリセット時までそのカウント値が維持されることとなる。
【００４９】
しかしながら、本願発明において限界値判定用カウンタ２１は実際には、以下のように動作することになる。
【００５０】
すなわち、図５（５）は上記図５（１）とほぼ同様にアップチューニング時に受信局以外で外乱を生じ、検出点Ｂ，Ｃ間の周波数の幅が２００［ｋＨｚ］未満となるような変化が検出点Ａ→Ｃ→Ｂの時間軸上でのみ出現した場合のＡＦＴ信号を例示するものであり、図５（６）に示す電圧値Ｖ１以上を表わすＡＦＴ−Ｈｉｇｈ信号の立上がりにより検出点Ａを認識し、続いて図５（７）に示す電圧値Ｖ３以下を表わすＡＦＴ−Ｌｏｗ信号の検出により検出点Ｂを認識した時点でそれまでのアップチューニングを一時的に停止してダウンチューニングに反転させる。
【００５１】
このとき限界値判定用カウンタ２１では、図５（８）に示すように上記検出点Ａの時点でオフセット値がプリセットされた後、第１回目の検出点Ｃの時点ですぐにアップカウントを開始し、検出点Ｂの判定がなされた時点でカウント動作を反転してダウンカウントを開始するものであり、第２回目の検出点Ｃが得られないままにそのカウント値が「０」となった時点でチューニングプログラム制御回路１２′が同調点Ｄがないものと判定し、次の局に同調すべくアップチューニングを再開させるようになるものである。
【００５２】
したがって、図５（５）と図５（８）とを比較しても判るように、本願発明では従来の限界カウント値であると判定するタイミングよりも早く、同調点Ｄがないと判定することができる。
【００５３】
また、上記図１に示した回路構成中の限界値判定用カウンタ２１に代えて、図６に示す如く限界値判定用ラッチ回路２２を設けるものとしてもよい。すなわち、この図６において限界値判定用ラッチ回路２２は、チューニングプログラム制御回路１２′の制御の下に、ＡＦＴ判定回路１１からのＡＦＴ信号の判定結果を受けてチューニングアップダウンカウンタ１４のカウント値をラッチし、掃引に係る往復動作時のカウンタ値の変化幅を直接比較してその比較結果からチューニングプログラム制御回路１２′が同調点の有無を判定するようにしてもよい。
【００５４】
（第２の実施の形態）
以下本発明をテレビ受像機のチューニング回路に適用した場合の第２の実施の形態について図面を参照して説明する。
【００５５】
図７はその回路構成を示すもので、基本的には上記図１に示したものと同様であるので、同一部分には同一符号を付してその説明は省略する。
【００５６】
しかして、限界値判定用カウンタ２１のカウント値はまた、チューニングプログラム制御回路１２″の他に周波数幅判定回路２３へも送られる。この周波数幅判定回路２３は、チューニングプログラム制御回路１２″の制御の下に、特に外乱を生じていない正常なＡＦＴ信号の同調点近傍での上記検出点Ｂ，Ｃ間の周波数の幅が２００［ｋＨｚ］〜５００［ｋＨｚ］であることが判っているため、該周波数の幅が２００［ｋＨｚ］未満、例えば１００［ｋＨｚ］以内であった場合にこれを判定して判定結果をチューニングプログラム制御回路１２″に送出するものである。
【００５７】
次に上記実施の形態の動作について説明する。
【００５８】
図８（１）はアップチューニング時に受信局以外で外乱を生じ、検出点Ｂ，Ｃ間の周波数の幅が２００［ｋＨｚ］未満となるような変化が生じた場合のＡＦＴ信号を例示するものである。
【００５９】
この場合、図８（２）に示す電圧値Ｖ１以上を表わすＡＦＴ−Ｈｉｇｈ信号の立上がりにより検出点Ａを認識し、続いて図８（３）に示す電圧値Ｖ３以下を表わすＡＦＴ−Ｌｏｗ信号の立上がりにより検出点Ｂを認識した時点でそれまでのアップチューニングを一時的に停止し、本来であればダウンチューニングに反転させる。
【００６０】
このとき限界値判定用カウンタ２１では、図８（４）に示すように上記検出点Ａの時点でオフセット値がプリセットされた後、第１回目の検出点Ｃの時点ですぐにアップカウントを開始する。
【００６１】
そして、検出点Ｂの判定がなされた時点で本来は上述した如くカウント動作を反転してダウンカウントを開始するものであるが、このとき同時にＡＦＴ−Ｌｏｗ信号の立上がりによりチューニングプログラム制御回路１２″が周波数幅判定回路２３に対して限界値判定用カウンタ２１のカウント値が１００［ｋＨｚ］に相当する値以下であるか否かを判定させる。
【００６２】
しかして、周波数幅判定回路２３が該カウント値が１００［ｋＨｚ］に相当する値以下であると判定すると、その判定結果によりチューニングプログラム制御回路１２″は同調点Ｄがないものと判定し、次の局に同調すべくアップチューニングを再開させるようになるものである。
【００６３】
このように、第１回目の検出点Ｃと検出点Ｂの間の周波数の幅が極端に小さい場合には、ダウンカウントに移行する必要もなく、直ちにこのＡＦＴ信号の変化が受信局によるものではなく、同調点Ｄがないと判定することができる。
【００６４】
なお、上記図２（Ｄ）で示した、アップチューニング時のＡＦＴ信号で目的局の前に外乱を生じるような場合は、外乱による検出点Ａ′の後の第１回目の検出点Ｃ′を得た後、検出点Ｂを得る前に限界値判定用カウンタ２１のカウント値が５００［ｋＨｚ］に相当する値を越えてしまうので、周波数幅判定回路２３がこれを判定してチューニングプログラム制御回路１２″に判定結果を送出することで、直ちに同調点Ｄがないと判定させることができる。
【００６５】
同様に、上記図２（Ｅ）で示した、ダウンチューニング時のＡＦＴ信号で目的局の前に外乱を生じるような場合は、外乱による検出点Ｂ′を得た後、検出点Ｃを得る前に限界値判定用カウンタ２１のカウント値が５００［ｋＨｚ］に相当する値を越えてしまうので、周波数幅判定回路２３がこれを判定してチューニングプログラム制御回路１２″に判定結果を送出することで、直ちに同調点Ｄがないと判定させることができる。
【００６６】
【発明の効果】
本発明によれば、同調点の有無の判定に要する時間を大幅に短縮して選局動作を高速化することができる。
【図面の簡単な説明】
【図１】  本発明の第１の実施の形態に係る回路構成を示すブロック図。
【図２】  同実施の形態に係る動作を説明するための図。
【図３】  同実施の形態に係る動作を説明するための図。
【図４】  同実施の形態に係る動作を説明するための図。
【図５】  同実施の形態に係る動作を説明するための図。
【図６】  同実施の形態に係る他の回路構成を示すブロック図。
【図７】  本発明の第２の実施の形態に係る回路構成を示すブロック図。
【図８】  同実施の形態に係る動作を説明するための図。
【図９】  従来のチューニング回路の構成を示すブロック図。
【図１０】  ＡＦＴ信号の同調点近傍での波形を示す図。
【図１１】  チューニング電圧ＢＴに対応するＡＦＴ信号の波形の相違を示す図。
【符号の説明】
１１…ＡＦＴ判定回路
１２，１２′，１２″…チューニングプログラム制御回路
１３…同期検出回路
１４…チューニングアップダウンカウンタ
１５…Ｄ／Ａ変換器
２１…限界値判定用カウンタ
２２…限界値判定用ラッチ回路
２３…周波数幅判定回路
【図１】
0003873323.tif 000002
【図２】
0003873323.tif 000003
【図３】
0003873323.tif 000004
【図４】
0003873323.tif 000005
【図５】
0003873323.tif 000006
【図６】
0003873323.tif 000007
【図７】
0003873323.tif 000008
【図８】
0003873323.tif 000009
【図９】
0003873323.tif 000010
【図１０】
0003873323.tif 000011
【図１１】
0003873323.tif 000012